(57)【特許請求の範囲】
【請求項１】
折り畳み可能なアクセサリデバイスであって、
第１の端縁及び第２の端縁を備える折り畳み可能なフラップと、
前記第１の端縁で前記折り畳み可能なフラップに取り付けられたコネクタアセンブリと、
を備え、前記コネクタアセンブリが、
少なくともプロセッサ、取り付け機構がホストデバイスに取り外し可能に取り付けられていることを確認するためのみに用いられる専用センサ及び頂部保護層を有し前記プロセッサに結合されたビジュアルコンテンツを提示するように構成されたディスプレイを、封入し支持するように構成された筐体を備えるホストデバイスに、前記折り畳み可能なアクセサリデバイスを取り外し可能に取り付けるための取り付け機構、並びに
前記折り畳み可能なフラップと前記取り付け機構とを枢動可能に接続するように構成されたヒンジであって、前記専用センサが前記折り畳み可能なフラップと前記ホストデバイスとが１つに取り付けられていることを確認するときにのみ、前記プロセッサが、１）前記ホストデバイスに対する前記折り畳み可能なフラップの折り畳み構成を判定すること、及び２）前記折り畳み構成に応じて前記ホストデバイスを動作させることが可能になり、前記折り畳まれたフラップの前記折り畳み構成が前記ディスプレイの閲覧可能部分を露出させたときに、前記ホストデバイスが、前記ディスプレイの前記閲覧可能部分に応じてビジュアルコンテンツを提示するように動作する、ヒンジ
を備える、折り畳み可能なアクセサリデバイス。
【請求項２】
前記筐体の第１の場所に配設され、前記折り畳み可能なフラップの第１の部分が前記頂部保護層と接触しているときにのみ前記フラップの前記第１の部分を検出するように構成された、第１のセンサと、
前記筐体の第２の場所に配設され、前記第１の部分とは異なる前記折り畳み可能なフラップの第２の部分が前記頂部保護層と接触しているときにのみ前記第２の部分を検出するように構成された第２のセンサと
を更に備える、請求項１に記載の折り畳み可能なアクセサリデバイス。
【請求項３】
折り畳み構成は、前記折り畳み可能なフラップの前記第１の部分が前記ディスプレイの第１の閲覧可能部分を露出させるように前記頂部保護層から離れるように折り畳まれることと、前記第１の部分が前記第１のセンサでは検出できないことと、前記折り畳み可能なフラップの前記第２の部分が前記頂部保護層と接触しており前記第２のセンサにより検出可能であることと、を含む、請求項２に記載の折り畳み可能なアクセサリデバイス。
【請求項４】
前記プロセッサが、前記第１のセンサと前記第２のセンサの両方による前記検出に基づく情報を使用して、前記第１の折り畳み構成に従って前記ホストデバイスを動作させる、請求項３に記載の折り畳み可能なアクセサリデバイス。
【請求項５】
前記折り畳み構成において、前記プロセッサが、前記ディスプレイに、前記ディスプレイの前記第１の閲覧可能部分にのみビジュアルコンテンツを提示させる、請求項４に記載の折り畳み可能なアクセサリデバイス。
【請求項６】
前記ホストデバイスが、前記プロセッサに結合され、かつ、前記プロセッサにより実行可能なアプリケーションを記憶するように構成されたメモリデバイスを更に備える、請求項５に記載の折り畳み可能なアクセサリデバイス。
【請求項７】
前記プロセッサが、前記折り畳み構成に応じて、前記メモリデバイスに記憶された前記アプリケーションを実行する、請求項６に記載の折り畳み可能なアクセサリデバイス。
【請求項８】
前記ホストデバイスが、前記ディスプレイと協働し、かつ、タッチイベントを受信し、対応するタッチ信号を更なる処理のために前記プロセッサに送信するように構成されたタッチ感知層を更に備える、請求項７に記載の前記折り畳み可能なアクセサリデバイス。
【請求項９】
前記タッチ感知層が、前記折り畳み構成に応じて動作する、請求項８に記載の折り畳み可能なアクセサリデバイス。
【請求項１０】
前記ディスプレイが、前記折り畳み構成に従って、前記ディスプレイの閲覧可能部分にグラフィカルユーザインタフェース（ＧＵＩ）を提示する、請求項９に記載の折り畳み可能なアクセサリデバイス。
【請求項１１】
前記ディスプレイによりビジュアルコンテンツを提示するために使用される表示リソースが、前記閲覧可能部分のサイズに比例する、請求項１０に記載の折り畳み可能なアクセサリデバイス。
【請求項１２】
前記閲覧可能部分における前記ＧＵＩの視覚特性は、前記閲覧可能部分のサイズに関係する、請求項１０に記載の折り畳み可能なアクセサリデバイス。
【請求項１３】
前記ホストデバイスがタブレットコンピュータである、請求項１に記載の折り畳み可能なアクセサリデバイス。
【発明の詳細な説明】
【技術分野】
【０００１】
説明される実施形態は、全般的に、ポータブル電子デバイスとともに使用されるアクセサリデバイスに関する。より詳細には、本実施形態は、アクセサリデバイスの特定の特徴を識別するために、個別に又は組み合わせて使用され得る受動回路及び能動回路について説明する。識別された特徴は、電子デバイスの動作状態を変更することや、アクセサリデバイスの特定の特徴を識別することなどのために、ポータブル電子デバイスにより使用され得る。
【背景技術】
【０００２】
ポータブルコンピューティングにおける最近の進歩は、ハンドヘルド電子デバイス及び、カリフォルニア州クパチーノに所在のアップル社により製造されるｉＰａｄ（登録商標）タブレットの系列に沿ったコンピューティングプラットフォームの導入を含む。これらのハンドヘルドコンピューティングデバイスは、電子デバイスの実質的部分が、アクセサリデバイスを取り付けるために使用され得る取り付け機構のための利用可能な空間をほとんど残さずにビジュアルコンテンツを提示するために使用されるディスプレイの形態をとるように構成することができる。
【０００３】
ディスプレイは、エンドユーザーと、例えば、ハンドヘルドコンピューティングデバイス中の処理回路とから情報を伝達するために、外部刺激と相互作用することができる種々のユーザーインタフェース特徴部を含み得る。例えば、ディスプレイは、種々のマルチタッチ（ＭＴ）機能をイネーブルするために使用され得るタッチ感知素子を含み得る。アクセサリデバイスがカバーの形態をとるとき、ハンドヘルドコンピューティングデバイスは、カバーの存在と合致するモードで動作可能であり得る。例えば、ハンドヘルドコンピューティングデバイスがディスプレイを有するとき、カバーの存在により、ディスプレイを閲覧できなくなることができる。電力をセーブするために、カバーを移動させるか、又は再配置してディスプレイを露出させるまで、閲覧できないディスプレイを一時的に動作不能にすることができる。
【０００４】
したがって、アクセサリデバイスの選択された態様を判定するための正確で信頼性が高い技術が望まれる。
【発明の概要】
【０００５】
この文書は、アクセサリデバイスからホストデバイスに情報を受動的に提供するためのシステム、方法及び装置に関する種々の実施形態について説明する。一実施形態では、アクセサリデバイスは保護カバーの形態をとり、ホストデバイスはタブレットコンピュータの形態をとる。
【０００６】
一実施形態では、アクセサリデバイスについて説明する。アクセサリデバイスは、少なくともフラップを含み、フラップは、アクセサリデバイス情報と関連付けられた受動情報素子を含む。アクセサリデバイスはまた、アクセサリデバイスと電子デバイスを取り外し可能に取り付けるように構成された取り付け機構を含む。説明される実施形態において、電子デバイスは、プロセッサ、ディスプレイ、アクセサリデバイスが電子デバイスに取り付けられていることを検出するように構成された取り付け検出機構、及びアクセサリデバイスと電子デバイスとが互いに対して取り付けられているという指示を取り付け検出機構が提供したときにのみ、（１）受動情報素子の存在を検出することと、（２）受動情報素子から情報を受信することとが可能になる受動情報検出機構を含む。
【０００７】
別の実施形態では、アクセサリデバイスと関連付けられるアクセサリデバイス情報に従って、電子デバイスの動作状態を変更するための方法について説明する。方法は、少なくとも以下の動作、即ち、電子デバイス中の検出機構により、受動情報素子を検出する動作と、検出に基づいてアクセサリデバイス情報を判定する動作と、アクセサリデバイス情報に従って電子デバイスの動作状態を変更する動作と、を実行することによって行われる。
【０００８】
プロセッサ及びディスプレイを有する電子デバイスの動作状態を変更するための装置について説明する。装置は、少なくとも、電子デバイス内の検出機構により受動情報素子を検出するための手段と、受動情報素子の検出に基づいてアクセサリデバイス情報を判定するための手段と、アクセサリデバイス情報に従って電子デバイスの動作状態を変更するための手段とを含む。
【０００９】
更に別の実施形態では、アクセサリデバイスについて説明する。アクセサリデバイスは、アクセサリデバイスをディスプレイとプロセッサとを有する電子デバイスに取り付けるための取り付け機構を含む。アクセサリデバイスは、少なくとも、ディスプレイに応じたサイズ及び形状を有するフラップと、情報素子と含む。説明される実施形態において、情報素子は、情報素子が電子デバイス中の検出機構により検出されたときなどにアクセサリデバイス情報と関連付けられる。検出機構は、アクセサリデバイス情報をプロセッサに提供する。プロセッサは、アクセサリデバイス情報を使用して電子デバイスの動作状態を変更する。概して、フラップとディスプレイとが互いに対して近接しているときにのみ検出が行われる。
【００１０】
一実施形態では、折り畳み可能なアクセサリデバイスについて説明する。折り畳み可能なアクセサリデバイスは、第１の端縁、第２の端縁、及び第１の端縁で折り畳み可能なフラップに取り付けられたコネクタアセンブリを備える折り畳み可能なフラップを含む。コネクタアセンブリは、折り畳み可能なアクセサリデバイスをホストデバイスに取り外し可能に取り付けるための取り付け機構を含む。ホストデバイスは、少なくともプロセッサ及び、頂部保護層を有し、プロセッサに結合されたビジュアルコンテンツを提示するよう構成された、ディスプレイを封入し、支持するように構成された筐体を含む。また、折り畳み可能なアクセサリデバイスは、折り畳み可能なフラップと取り付け機構とを枢動可能に接続するように構成されたヒンジを含む。プロセッサは、折り畳み可能なフラップとホストデバイスとが１つに取り付けられときにのみ、１）ホストデバイスに対する折り畳み可能なフラップの折り畳み構成を判定すること、及び２）折り畳み構成に応じてホストデバイスを動作させることが可能になる。折り畳まれたフラップの折り畳み構成がディスプレイの閲覧可能部分を露出させたときに、ホストデバイスは、ディスプレイの閲覧可能部分に応じてビジュアルコンテンツを提示するように動作する。
【００１１】
別の実施形態では、電子デバイスについて説明する。電子デバイスは、少なくとも、側壁及び前向き開口部を有する筐体と、筐体内に配設されたプロセッサと、筐体中に配設され、かつ、プロセッサに結合された第１のセンサ及び第２のセンサと、プロセッサに結合されており、ビジュアルコンテンツを提示するように構成されたディスプレイであって、ディスプレイが、前向き開口部内に配設され、最上保護層を有する、ディスプレイと、ハウジングの第１の側壁に配設され、電子デバイスを活性状態の折り畳み可能なカバーの第１の端部に取り付ける取り付け機構とを含む。プロセッサは、電子デバイスに対する折り畳み可能なカバーの折り畳み状態を判定するように作用し、折り畳み状態に応じて電子デバイスを動作させる。第１の折り畳み状態は、折り畳み可能なカバーの第１の部分が、ディスプレイのフルディスプレイ部分よりも小さい第１の部分を露出させるようにディスプレイから離れるように折り畳まれていることを含む。ビジュアルコンテンツは、ディスプレイにより、第１の部分に応じて処理され、提示される。
【００１２】
別の実施形態では、折り畳み可能なアクセサリデバイスの折り畳み状態に応じてビジュアルコンテンツを提示するためのディスプレイを有するタブレットデバイスを動作させるための方法について説明する。方法は、タブレットデバイスと折り畳み可能なアクセサリデバイスとが互いに対して取り付けられていることを確認することと、取り付けが確認された場合にのみ、タブレットデバイスに対する折り畳み可能なアクセサリデバイスの折り畳み状態を判定することとによって実行される。説明される実施形態において、折り畳み状態は、折り畳み可能なアクセサリデバイスの第１の折り畳み部分とタブレットデバイスとの間の空間的関係を検出することによって判定され、第１の折り畳み部分は、ディスプレイの第１の部分に対応する。ビジュアルコンテンツは、タブレットデバイスによりディスプレイの第１の部分に応じて提示される。
【００１３】
本発明の他の態様及び利点は、例として、説明される実施形態の原理を例示する添付図とともに考慮される、下記の「発明を実施するための形態」から明らかとなるであろう。
【００１４】
添付の図面とともに以下の「発明を実施するための形態」により本発明は容易に理解されるであろう。図中、同一符号は同一の構造要素を示す。
【図面の簡単な説明】
【００１５】
【図１】説明される実施形態による電子デバイスの平面斜視図である。
【図２Ａ】タブレットデバイスの形態の電子デバイス及び保護カバーの形態のアクセサリデバイスの第１の斜視図である。
【図２Ｂ】タブレットデバイスの形態の電子デバイス及び保護カバーの形態のアクセサリデバイスの第２の斜視図である。
【図３Ａ】図２Ａ及び図２Ｂに示したタブレットデバイス及び保護カバーによって形成される協働システムの閉構成を示す図である。
【図３Ｂ】図３Ａに示した協働システムの開構成を示す図である。
【図４】セグメント化カバーアセンブリの一実施形態の平面図である。
【図５】カバーアセンブリの形態の保護カバー２００の別の実施形態の平面図である。
【図６Ａ】タブレットデバイスに対して部分的開構成であるセグメント化カバーを示す図である
【図６Ｂ】タブレットデバイスに対して部分的開構成であるセグメント化カバーを示す図である。
【図６Ｃ】部分的開構成であるセグメント化カバーを示す図である。
【図７Ａ】説明される実施形態による、第１のピークモードにおけるタブレットデバイスの図である。
【図７Ｂ】説明される実施形態による、第２のピークモードにおけるタブレットデバイスの図である。
【図８】説明される実施形態による、タブレットデバイスに枢動可能に結合された保護カバーを含むシステムを示す図である。
【図９】種々の情報素子が示されている、システム８００のより一般化されたバージョンのシステムを示す図である。
【図１０】説明される実施形態によるプロセスを詳述するフローチャートである。
【図１１】説明される実施形態によるプロセスを詳述するフローチャートである。
【図１２】説明される実施形態によるプロセスを詳述するフローチャートである。
【図１３】説明される実施形態による状態ピークモード状態図である。
【図１４】説明される実施形態によるプロセスを詳述するフローチャートである。
【図１５】説明される実施形態によるプロセスを詳述するフローチャートである。
【図１６】説明される実施形態で使用するために好適な電子デバイスのブロック図である。
【発明を実施するための形態】
【００１６】
以下に、添付の図面に示された代表的な実施形態について詳細に参照する。以下の説明は、１つの好ましい実施形態に実施形態を限定することを意図するものではないことを理解されたい。それとは対照的に、添付の特許請求の範囲により定義されるような、説明される実施形態の趣旨及び範囲内に含まれ得る変形形態、修正形態及び均等物を網羅することが意図される。
【００１７】
以下の説明は、概して、ディスプレイを有する電子デバイスとともに使用されるアクセサリデバイスの特徴を識別するために使用され得る機構に関する。ディスプレイは、ビジュアルコンテンツを提示するように構成することができる。いくつかの場合には、ディスプレイは、タッチイベントのような、外部から加えられた刺激を感知し、それに応答して、電子デバイスにより使用され得る情報を提供するように構成されたタッチ感知層を含むことができる。例えば、ディスプレイは、同時に加えられた複数の入力イベントを認識するのに好適な容量性マルチタッチ（ＭＴ）機能を含むことができる。特定の実施形態では、アクセサリデバイスは、保護カバーの形態をとる。保護カバーは、ヒンジ機構に枢動可能に接続されたフラップを含むことができる。次に、ヒンジ機構は、保護カバーと電子デバイスとを取り外し可能に１つに取り付けるための取り付け機構を含むことができる。フラップは、ディスプレイに応じたサイズ及び形状を有することができる。このようにすると、フラップは、タブレットデバイスに結合されたとき、閉構成においてフラップをディスプレイと実質的に接触させるように、第１の方向にヒンジ部分を中心に回転させることができる。逆に、フラップは、開構成においてディスプレイ又はその一部分を露出させるために、第１の方向とは反対の第２の方向にヒンジアセンブリを中心に枢動させることができる。一実施形態では、電子デバイスは、タブレットデバイスの形態をとることができる。
【００１８】
保護カバーは、タブレットデバイスの全体的なルックアンドフィールを向上させながら、タブレットデバイスの（ディスプレイのような）特定の態様に対する保護を提供することができる。保護カバーは、タブレットデバイス中の素子、電子部材などと協働し得る電子回路又は他の素子（受動又は能動）を含むことができる。その協働の一部として、例えば、タブレットデバイスの動作、保護カバーの電子回路又は素子の動作などを修正するために使用することができる信号を、保護カバーとタブレットデバイスとの間で送ることができる。また、その信号を使用して、保護カバーの特定の態様を評価することができる。例えば、保護カバーは、タブレットデバイス内に配設された対応する素子により検出され得る１つ以上のオブジェクトを含むことができる。（１つ以上の）オブジェクトは、タブレットデバイスに、色、スタイル、所有者などのような、保護カバーの特定の態様を識別するために使用され得る情報を提供することができる。オブジェクトは、受動又は能動であり得る。例えば、受動素子は、磁石及び容量性素子の形態をとることができ、能動素子は、ＲＦＩＤタグ、近距離無線通信（ＮＦＣ）素子、（Ｂｌｕｅｔｏｏｔｈ（登録商標）のような）無線素子などの形態をとることができる。
【００１９】
電子デバイスは、複数のセンサを含むことができる。これらのセンサは、少なくとも、複数の様々なタイプの磁気センサを含むことができる。例えば、ホール効果センサ（ＨＦＸ）は、単純に、磁界の存在を検出し、ＯＮ／ＯＦＦ、「０」、「１」などに従って情報を提供することができる。情報を符号化するために複数の磁石を使用するだけでなく、磁石の極性を使用して情報を符号化することもできる。例えば、保護カバーが、磁気極性を弁別することができる、タブレットデバイス中に配設された対応する磁気センサにより検出可能なｎ個の磁石を有する場合、保護カバーにおいて、２nビットの情報を磁気的に符号化することができる。特定の実施形態では、磁石の数ｎは４つとすることができ、その場合、情報ビットの合計数もまた４であり、２4又は３２個の情報状態を表す。３２個の情報状態は、色、スタイル、所有者情報、購入日などのような、保護カバーの特定の態様に関する情報を含み得る。
【００２０】
線形ホール効果センサを使用して、磁石の動き、位置又は磁界強度の変化を感知することができる。線形ホール効果センサにより検出された磁界強度の違いを使用して、タブレットデバイスに対する保護カバーの現在の状態を評価することができる。例えば、検出された磁界強度値の変化は、タブレットデバイス／保護カバーの取り付け状態の変化が変化したこと、又は、磁石と線形ホール効果センサとの間の相対距離が変化したことを示すことができる。相対距離におけるこの変化は、保護カバーがタブレットデバイスに対して移動したことを示すことができる。例えば、線形ホール効果センサが５ミリテスラ（ｍＴ）の磁界強度値の相対変化を測定したことは、保護カバーが、タブレットデバイスに対してより開いた位置又はより閉じた位置に移動したことを示すことができる。また、リアルタイムで磁界強度値を監視すること（又はサンプリングすること）は、タブレットデバイスに対する保護カバーの動きを示し得ることを留意されたい。このようにすると、タブレットデバイスに対する保護カバーの動き、並びにタブレットデバイスに対する保護カバーの運動方向を検出することができる。
【００２１】
タブレットデバイス又は保護カバーのいずれかにおける磁石の作用を高めるために、特定の磁石を磁気アレイとして配列することができる。１つのそのような磁気アレイは、ハルバッハアレイの形態をとることができる。ハルバッハアレイは、ハルバッハアレイの片側の磁界が増大しており、ハルバッハアレイの反対側の磁界がほぼゼロである片側磁束構造として解釈することができる。この効果は、複数の永久磁石を空間的に回転する磁化パターンで配列することによって実現することができる。このようにすると、片側磁界を増大させるためにハルバッハアレイを使用すると、保護カバーとタブレットデバイスとの間の磁気取り付け、又は得られる増大磁界の検出可能性を向上させることができる。
【００２２】
いくつかの実施形態において、保護カバー内に又はその上に配設された構成要素を使用して、保護カバーとタブレットデバイスとの間の関係を判定することができる。例えば、カバーが、（取り付け、情報シグナリングなどを目的として）磁石を含むとき、これらの磁石は、信号として使用され得る、隣接するタブレットデバイスに配設された（いくつかの場合には磁気コンパスとして使用される磁力計のような）磁気感知回路に影響を及ぼすことがある。次に、この信号を使用して、保護カバーとタブレットデバイスとの間の空間的関係を推定することができる。例えば、タブレットデバイスが磁気コンパスの形態の磁気回路を含むとき、保護カバー中の磁石により、磁気コンパスに、（一般的に度「ｘ°」で表される）磁気オフセット値を有する磁気オフセット（基準線コンパス方向からの偏差）を生じさせることができる。このようにすると、磁気オフセット値を使用して、保護カバーとタブレットデバイスとの間の関係を推定することができる。観測された磁気オフセット値は、磁気的に取り付けられた全開構成、全閉構成又は部分的開構成のような既知のタブレット／カバー構成に相関し得る。ある場合には、カバーとタブレットデバイスとの間の空間的関係に基づいて磁気コンパスを再較正することが望ましいことがある。例えば、カバーが全開しているとき、磁気コンパスに対するカバー中の磁石の影響は最小となり得るが、カバーが全閉位置に近づき、（ピークモードの場合のように）コンパスが閲覧可能である場合、磁石の影響はより大きくなることがあり、磁気コンパスの再較正が必要になる。
【００２３】
また、センサを使用して、保護カバー及びタブレットデバイスの角変位を判定することができる。例えば、線形ホール効果センサを使用して、線形ホール効果センサに対するカバー中の磁石の角変位を検出することができる。角変位を、線形ホール効果センサにより検出された（例えば、ミリテスラ又はＭＴ単位で測定された）磁界強度に相関させることができ、検出された値における任意の変化を、タブレットデバイスと保護カバーとの間の空間的関係における変化と関連付けることができる。空間的関係における変化は、タブレットデバイスから離れる又はそこに向かうカバーの枢動を含み得る。
【００２４】
別の実施形態では、タブレットデバイスが、カメラのような画像キャプチャデバイス又はカメラの近傍の周囲光レベルを検出するための周囲光センサ（ＡＬＳ）のような光学センサを含むとき、保護カバーにより、光学感知インディシアを使用して情報をエンコードすることができる。例えば、保護カバーは、適切にサイズ設定され配置された開口部を含むことができ、これらの開口部により、選択された量の光が保護カバーを貫通することが可能になる。例えば、保護カバーにマイクロ穿孔のパターンを形成することができ、マイクロ穿孔は、ユーザには識別できないにもかかわらず、マイクロ穿孔に沿って十分な光が光学センサに達することが可能になる。このようにすると、光学センサに達する一定のパターンの光は、タブレットデバイスにより使用され得る情報を提供することができる。いくつかの場合には、マイクロ穿孔のパターンは、保護カバーに固有の情報を提供するバーコードに類似し得る。そのような情報は、シリアル番号、スタイル、色などを含み得る。一実施形態では、ＡＬＳは、典型的には周囲光の形態の入射光の変動するレベルに応答し得る（フォトダイオードのような）感光性回路を含むことができる。また、光学センサは、可視スペクトルを超える光を感知することができる。例えば、赤外線（ＩＲ）センサは、熱の存在を検出することができ、ＵＶ感知検出器は、太陽のようなＵＶ光源の存在を判定することができる。
【００２５】
一実施形態では、ディスプレイは、保護カバーに組み込まれたオブジェクトに応答し得るタッチ感知面を含むことができる。タッチ感知面は、ディスプレイの保護層の上の又はその近くの複数のオブジェクトのうちの一部又は全部と結合し得る複数の素子を含むことができる。結合は、例えば、実際には容量性であり得、タブレットデバイス中のプロセッサにより評価され得る信号を提供することができる。例えば、信号は、タブレットデバイスの動作の特定の態様を制御する際に使用することができる。一実施形態では、（１つ以上の）オブジェクトは、保護カバーのフラップに埋め込まれた導電性素子の形態をとることができる。このようにすると、保護カバーがディスプレイの保護層に近づくか又はそこに接触したとき、導電性素子は容量性素子と相互作用し、プロセッサに信号を提供することができる。
【００２６】
プロセッサに提供される信号は、導電性オブジェクトのサイズ、位置及び形状に対応することができる。したがって、導電性オブジェクトのサイズ、位置及び形状を、プロセッサにより使用され得る情報と関連付けることができる。例えば、情報は、導電性オブジェクトの特定の構成と関連付けられた情報に基づいて保護カバーの態様を判定するために、プロセッサにより使用され得る。したがって、オブジェクトのサイズ、形状、向き、位置などのようなオブジェクトの任意の数の特徴を使用して、保護カバーのフラップからプロセッサに情報を受動的に伝達することができる。次いで、この情報は、タブレットデバイスによって任意の数の動作を実行するために使用され得る命令を実行するために、プロセッサにより使用され得る。また、情報は、（タイプ、色、スタイル、特定のシリアル番号のような）保護カバーに固有の情報を伝達するためにも使用され得る。
【００２７】
これら及び他の実施形態について、図１〜図１６を参照して以下で説明する。しかしながら、これらの図に関して本明細書に記載される「発明を実施するための形態」は、説明を目的とするものに過ぎず、限定するものとして解釈するべきではないことが、当業者には容易に理解されるであろう。
【００２８】
電子デバイスは、多くの形態をとることができる。この議論の残りの部分では、ハンドヘルドポータブルコンピューティングデバイスの観点から、電子デバイスを説明する。したがって、図１は、説明される実施形態による電子デバイス１０の平面斜視図を示す。電子デバイス１０は、データを、より詳細には、オーディオ、ビジュアル、画像などのようなメディアデータを処理することができる例として、電子デバイス１０は、一般に、スマートフォン、音楽プレーヤ、ゲームプレーヤ、ビジュアルプレーヤ、携帯情報端末（ＰＤＡ）、タブレットデバイスなどとして機能することができるデバイスに対応することができる。ハンドヘルドであることに関して、電子デバイス１０は、一方の手で保持しながら、他方の手によって操作することができる（すなわち、デスクトップのような基準面は必要ない）。したがって、電子デバイス１０は、一方の手で保持しながら、他方の手によって操作入力コマンドを提供することができる。操作入力コマンドは、ボリュームスイッチ、ホールドスイッチを操作すること、又はタッチ感知表示デバイス若しくはタッチパッドのようなタッチ感知面への入力を提供することによって操作することを含み得る。
【００２９】
電子デバイス１０は、筐体１２を含むことができる。いくつかの実施形態において、筐体１２は、所望の形状に鍛造すること、鋳造すること、又は場合によっては成形することができる、任意の数のプラスチック又は非磁性金属のような材料で形成されるシングルピースハウジングの形態をとることができる。電子デバイス１０が、金属筐体を有し、無線周波（ＲＦ）ベースの機能を内蔵するような場合には、筐体１２の一部分は、セラミック又はプラスチックのような無線透過性材料を含み得る。筐体１２は、複数の内部構成要素を封入するように構成することができる。内部構成要素は、支持を提供するために使用される機械的又は構造的とすることができ、あるいは、動作／機能の特定のセットを提供することができる動作／機能構成要素とすることができる。例えば、筐体１２は、電子デバイス１０にコンピューティング動作を提供するために、種々の構造構成要素及び（集積回路チップを含む）電気構成要素を封入し、支持することができる。動作構成要素の例として、集積回路、プロセッサ、メモリ、バッテリ、アンテナ、回路、センサ、ディスプレイ、入力などを挙げることができる。集積回路は、チップ、チップセット又はモジュールの形態をとることができ、それらのうちのいくつかは、プリント回路板若しくはＰＣＢ、又は他の支持構造体に表面実装することができる。例えば、メインロジックボード（ＭＬＢ）は、少なくとも、マイクロプロセッサ、（ＦＬＡＳＨのような）半導体メモリ、及び種々の支持回路などを含み得る集積回路をその上に実装することができる。構造構成要素の例として、フレーム、壁、留め具、補強材、運動機構（ヒンジ）などを挙げることができる。それらの望ましい構成に応じて、構成要素は、外部（すなわち、表面に露出している）及び／又は内部（例えば、筐体内の埋め込まれている）とすることができる。
【００３０】
筐体１２は、内部構成要素を配置するための開口部１４を含むことができ、必要に応じて、ビジュアルコンテンツを提示するためのディスプレイアセンブリを収容するようにサイズ設定することができ、ディスプレイアセンブリは、保護カバー層１６によって覆われ、保護されている。いくつかの場合には、ディスプレイアセンブリはタッチ感知式であり得、電子デバイス１０に制御信号を提供するために使用され得る触覚入力が可能になる。いくつかの場合には、ディスプレイアセンブリは、電子デバイスの前面の大部分の実装面積をカバーする大きな目立つディスプレイエリアとすることができる。
【００３１】
電子デバイス１０は、保護カバーのようなアクセサリデバイスの取り付け特徴部と対応する取り付け特徴部を含むことができる。このようにすると、保護カバーと電子デバイス１０とを互いに取り外し可能に接続することができる。互いに対して取り付けられると、保護カバーと電子デバイス１０とは、単一の動作ユニットとして動作することができる。一方、取り外されたモードでは、保護カバーと電子デバイス１０とは、別々に作動することができ、所望される場合には、２つの個別の部品として作動することができる。保護カバーと電子デバイス１０との間の取り付けは、大幅に変えることができる。例えば、保護カバー及び電子デバイス１０は、一般に、ルックアンドフィール又は装飾的外観に悪影響を及ぼす外部から見える取り付け特徴部（例えば、スナップ、ラッチなど）を含まずに、保護カバー又は電子デバイス１０の外側から見えず、したがって保護カバー又は電子デバイス１０のルックアンドフィール又は装飾的外観に影響を及ぼさない取り付け特徴部を含む。例として、取り付け特徴部は、保護カバー又は電子デバイス１０の外面を妨げない引力面により提供することができる。一実施形態では、取り付け特徴部の少なくとも一部分は、取り付ける力の一部又は全部を提供するために磁力を利用する。
【００３２】
したがって、電子デバイス１０は、磁気取り付けシステム１８及び磁気取り付けシステム２０を含むことができる。磁気取り付けシステム１８は、筐体１２に側面実装され得、保護カバーのような適切に構成されたアクセサリに電子デバイス１０を磁気的に取り付けるために使用することができる。一方、磁気取り付けシステム２０は、開口部１４内のカバーガラス１６の下方に配置することができ、磁気素子２２のうちの１つ又は複数を含むことができる。一実施形態では、磁気素子２２は、保護カバー中の対応する磁気的に適合する素子に提示される磁界を増強するために、（ハルバッハアレイのような）磁気アレイで構成することができる。磁気取り付けシステム２０は、開口部１４内の種々の場所に配置することができる。例えば、磁気取り付けシステム２０は、側壁１２ｃ及び１２ｄに近接して配置することができる。このようにすると、電子デバイス１０に取り付けた状態での保護カバーの（ラッキングと呼ばれる）横移動を実質的に低減することができる。
【００３３】
磁気素子２２は、ホール効果センサ２４及びオンボードコンパス２６の形態の磁力計回路２６のような磁気感知回路に影響を及ぼし得ることに留意されたい。したがって、いくつかの場合には、磁界整形素子を使用して、そのような回路が受ける磁気の影響を低減することができる。例えば、磁界整形磁石を使用して、磁気素子２２により発生する磁界の形状及び範囲を制御することができる。いくつかの場合には、磁気素子２２の形状及び配置は、場合によっては感知磁気回路に影響を及ぼし得る漏洩磁束を防止することを助けることができる。例えば、例えば、磁気素子２２は、オンボードコンパス２６に影響を及ぼし得る漏洩磁束の量を低減するために、好適な台形形状（又は他の適切な幾何学形状）を有することができる。
【００３４】
図２Ａ及び図２Ｂは、タブレットデバイス１００の形態の具体的な実施形態の観点から提示された電子デバイス１０を、保護カバー２００として提示されたアクセサリデバイスに関連して、それぞれ平面斜視図で示している。特に、図２Ａ及び図２Ｂは、開構成におけるタブレットデバイス１００及び保護カバー２００の２つの斜視図を示している。例えば、図２Ａは、筐体１０２中に配設された磁気取り付けシステム１０４により提供された磁気面を示す。一方、図２Ｂは、取り付け特徴部２０４、及びそれと保護カバー２００の関係の第２の図を提供するために、図２Ａで提示した図を約１８０°回転させた図である。
【００３５】
次に図２Ａを参照すると、タブレットデバイス１００は、磁気取り付けシステム１０４を封入し、支持することができる筐体１０２を含むことができる。タブレットデバイス１００は、カリフォルニア州クパチーノに所在のアップル社により製造されるｉＰａｄ（登録商標）のようなタブレットコンピューティングデバイスのファミリーの特定のメンバーの形態をとることができる。磁気取り付けシステム１０４により発生した磁界に干渉しないように、少なくとも、筐体１０２の磁気取り付けシステム１０４に最も近い部分は、任意の数のプラスチックのような非磁性材料又はアルミニウムのような非磁性金属で形成することができる。磁気取り付けシステム１０４は、筐体１０２に可変磁気面を提供するように構成することができる。可変磁気面は、磁気取り付けシステム１０４の取り付け状態に応じ得る。例えば、第１の磁気面の磁気強度値は、第１のしきい値未満であり得、したがって、好適な取り付けを形成することが可能な磁気回路を作成するには適さず、タブレットデバイス１００に近接する磁気感知デバイスに悪影響を及ぼすには適さないことがある。したがって、第１の磁気面は、磁気取り付けシステム１０４が不活性であることと関連付けることができる。
【００３６】
いくつかの実施形態において、磁気取り付けシステム１０４は、磁気面を第１の磁気面から、磁気取り付けを形成し維持するのに好適であり、したがって、活性である第２の磁気面へと変化させることができる移動可能な磁気素子を有することができる。一実施形態では、移動可能な磁気素子は、不活性状態においては筐体１０２から離して保持し、活性状態においては筐体１０２に向かって推し進めることができる。それにより、それぞれ、第１の磁気面は第２の磁気面へと遷移し、それは磁気取り付けシステム１０４が不活性から活性へと遷移することに合致する。
【００３７】
一実施形態では、筐体１０２内に配設された検出器は、磁気取り付けシステム１０４が活性であるか、あるいは不活性であるかを判定することができる。例えば、磁気取り付けシステム１０４が移動可能な磁気素子を含む場合、線形ホール効果センサは、磁界強度値とその任意の変化とを提供することによって磁気取り付けシステム１０４の状態を推定するために使用され得る情報を提供することができる。それらの磁気取り付けシステムが移動可能な磁気素子を有する場合、線形ホール効果センサにより提供されるデータは、移動可能な磁気素子の相対位置を、したがって、運動が生じたかどうかを示すことができる。また、移動可能な磁気素子の移動は、磁気取り付けシステム１０４における移動可能な磁気素子の移動を直接検出することができるタクトスイッチのような、より直接的な手法を使用して検出することができる。磁気取り付けシステム１０４からずらして配置している検出器（コンパス２６のような磁力計など）は、磁気取り付けシステム１０４の状態と相関し得る局所的な磁気環境の変化を検出することができる。例えば、コンパス２６は、磁気取り付けシステム１０４が活性であることと合致する磁気オフセット（磁気オフセットがしきい値よりも大きいことなど）を経験する場合、磁気取り付けシステム１０４が活性であり、タブレットデバイス１００と保護カバー２００とが互いに対して磁気的に取り付けられていると推定することができる。センサ情報に加えてこの情報を使用すると、取り付けられている場合に、保護カバー２００がタブレットデバイス１００に対して部分的開構成であると推定することができる。
【００３８】
また、筐体１０２は、タブレットデバイス１００にコンピューティング動作を提供するために、種々の構造構成要素及び（集積回路チップ及び他の回路を含む）電気構成要素を内部に封入し、支持することができる。筐体１０２は、内部構成要素を配置するための開口部１０６を含むことができ、例えばディスプレイを介して、少なくともビジュアルコンテンツをユーザに提供するのに好適なディスプレイアセンブリ又はシステムを収容するようにサイズ設定することができる。いくつかの場合には、ディスプレイアセンブリは、タッチ入力を使用してタブレットデバイス１００に触覚入力を提供する能力をユーザに提供するタッチ感知機能を含むことができる。ディスプレイアセンブリは、ポリカーボネート又は他の適切なプラスチック又は高研磨ガラスで形成される透明なカバーガラス１０８の形態をとる最上層を含む複数の層で形成することができる。カバーガラス１０８は、高研磨ガラスを使用して、開口部１０６を実質的に塞ぐことができる。
【００３９】
図示されていないが、カバーガラス１０８の下にあるディスプレイアセンブリは、ＬＣＤ、ＬＥＤ、ＯＬＥＤ、電子又はｅインクなどのような任意の好適なディスプレイ技術を使用して画像を表示するために使用することができる。ディスプレイアセンブリは、様々な機構を使用して空洞内に配置し、固定することができる。一実施形態では、ディスプレイアセンブリは、空洞にスナップ嵌合される。ディスプレイアセンブリは、筐体の隣接する部分と面一に配置することができる。このようにすると、ディスプレイは、映像、静止画を含み得るビジュアルコンテンツ、並びに、ユーザに情報（例えば、テキスト、オブジェクト、グラフィクス）を提供し、ユーザが提供した入力を受け取ることができるグラフィカルユーザインタフェース（ＧＵＩ）のようなアイコンを提示することができる。いくつかの場合には、表示されたアイコンは、ユーザにより、ディスプレイ上のより好都合な場所に移動され得る。
【００４０】
タブレットデバイス１００は、１つ又は複数の画像をキャプチャするように配列されたカメラアセンブリ１１０を含むことができる。また、タブレットデバイス１００は、カメラアセンブリ１１０と関連付けられた周囲光のレベルを検出するために使用される周囲光センサ１１２（ＡＬＳ）を含むことができる。一実施形態では、ＡＬＳ  １１２を使用して、ディスプレイアセンブリの輝度レベルを設定することができる。例えば、周囲光がわずかしかないより暗い環境では、ＡＬＳ  １１２の読取値により、タブレットデバイス１００中のプロセッサにディスプレイアセンブリを暗くさせることができる。より明るい環境では、ディスプレイアセンブリをより明るくすることができる。タブレットデバイスは、タブレットデバイス１００の地理的ロケーションの判定の際に役立ち得る外部磁界を検出するために使用されるコンパス１１４を更に含むことができる。更に、（コンパス１１４のような）磁気感知回路は、局所的な磁気環境の変化を検出することによって磁気取り付けシステム１０４の状態を判定するために使用することができる。この変化は、磁気オフセットと表すことができる。
【００４１】
また、タブレットデバイス１００は、対応する磁気素子の種々の特性を検出するために使用され得るホール効果（ＨＦＸ）センサ１１６を含むことができる。いくつかの実施形態において、タブレットデバイス１００は、２つ以上のＨＦＸセンサ及び／又は異なるタイプの複数のＨＦＸセンサを含むことができる。例えば、タブレットデバイス１００は、カバー２００が開構成であるか、あるいは閉構成であるかを検出するＨＦＸセンサを含むことができる。また、タブレットデバイス１００は、フラップ２０２中の磁気素子の角変位を検出する線形ＨＦＸセンサを含むことができる。このようにすると、磁界強度（静的及び動的）、磁界極性、センサに対する磁石の角度位置のような種々の磁気特性を使用して、タブレットデバイス１００／カバー２００の態様を判定することができる。加速度計又はジャイロスコープ（いずれも図示されていない）のような慣性センサを含み得る他のタイプのセンサを使用して、リアルタイムでタブレットデバイス１００の位置及び向きの任意の動的変化を判定することができる。
【００４２】
保護カバー２００は、フラップ２０２を含むことができる。一実施形態では、フラップ２０２は、カバーガラス１０８に応じたサイズ及び形状を有することができる。フラップ２０２は、図２Ｂに示したヒンジアセンブリ２０４に枢動可能に接続することができる。このようにすると、フラップ２０２は、枢動線２０６を中心にして回転することができる。ヒンジアセンブリ２０４は、磁気取り付け特徴部２０８を含むことができる。磁気取り付け特徴部２０８と磁気取り付けシステム１０４との間の磁気取り付け力は、保護カバー２００及びタブレットデバイス１００をフラップ２０２及びカバーガラス１０８に関して適切な向き及び配置に維持することができる。適切な向きとは、単に、保護カバー２００がタブレットデバイス１００に適切に取り付けられ、フラップ２０２とカバーガラス１０８とを対合係合で整列させることができることを意味する。カバーガラス１０８とフラップ２０２との間の対合構成とは、図３Ａに示すように、フラップ２０２をカバーガラス１０８と接触させて配置したときに、フラップ２０２がカバーガラス１０８の実質的に全部を覆うものである。このようにすると、フラップ２０２は、電子デバイス１００の面を保護する保護カバーとして使用することができる。フラップ２０２は、プラスチック、布などのような種々の材料で形成することができる。保護カバー２００は、留め具なしに、容易に筐体１０２に直接取り付けることができるので、フラップ２０２は、基本的には、タブレットデバイス１００の形状に適合することができる。このようにすると、カバー２００は、タブレットデバイス１００のルックアンドフィールを損なわず、又は場合によっては不明瞭にしない。フラップ２０２は実際には単一とすることができ、あるいは、ディスプレイの対応する部分を露出させるためにフラップのセグメントを持ち上げることができるようにフラップ２０２をセグメント化してもよい。セグメントの数及びサイズは、幅広く変えることができる。また、フラップ２０２は、電子デバイス１００中の対応する機能素子と協働することができる機能素子を含むことができる。このようにすると、例えば、フラップ２０２（又はその折り畳み可能なセグメント）を対応するセンサから離れるように（又はそこに向かって）持ち上げることによってフラップ２０２を操作した結果、タブレットデバイス１００の動作を変更させることができる。
【００４３】
フラップ２０２は、磁性材料を含むことができる。例えば、磁気素子２１０を、対応する磁気取り付けシステム２０に磁気的に取り付けるために使用することができ、一方、磁気素子２１２は、フラップ２０２がカバーガラス１０８の上方の所定の位置にあるときにホール効果センサ１１６により検出可能であり得る。このようにすると、ホール効果センサ１１６は、プロセッサにより使用され得る情報と解釈され得る信号を生成することによって応答することができる。情報は、例えば、フラップ２０２とタブレットデバイス１００との相対空間位置を判定するために、プロセッサによりカバー位置情報として使用され得る。相対空間位置を使用して、タブレットデバイス１００の動作状態を変更することができる。（線形ホール効果センサの形態の）ホール効果センサ１１６を使用して、ホール効果センサ１１６に対する磁気素子２１２の角変位のような磁石及びタブレットデバイス１００の移動を示す検出磁界における任意の動的変化を判定することができる。いくつかの実施形態において、フラップ２０２は、タブレットデバイス１００中に配設された対応するＨＦＸセンサ１１６により検出可能であるように配置された２つ以上の磁気素子２１２を含むことができる。このようにすると、セグメント化バージョンのカバー２００の折り畳みに関する情報をタブレットデバイス１００に伝達し、それをタブレットデバイス１００が使用することができる。例えば、ＨＦＸセンサ１１６及び磁気素子２１２の対応する位置をずらして配置することによって、カバー２００とタブレットデバイス１００との間の空間的関係の情報を推定することができる。
【００４４】
カバー２００は、磁気アレイ２１４の形態の他の磁石を含むことができる。また、磁気アレイ２１４は、例えば、磁気アレイ２１４を検出し得る複数のＨＦＸセンサをタブレットデバイス１００が含むときに、タブレットデバイス１００に情報を伝達するように構成することができる。このようにすると、磁気符号の形態の情報をタブレットデバイス１００に提供することができる。例えば、磁気アレイ２１４が４つの磁石を含む場合、４つの対応するＨＦＸセンサ１１６は、情報を、磁気アレイ２１４中の特定の磁石の有無と関連付けることができる。このようにすると、適切に構成された磁気アレイパターンは、保護カバー２００の色又はスタイルのような情報を表すことができる。
【００４５】
フラップ２０２は、磁石に加えて、フラップ２０２がカバーガラス１０８上に配置されたときディスプレイアセンブリに組み込まれたマルチタッチ（ＭＴ）感知層により検出することができる容量性素子２１６の形態をとることができる他のタイプの受動素子２１６を含むことができる。このようにすると、ＭＴ感知層は、画定パターンに合致するタッチパターンを生成することによって、容量性素子２１６の存在に応答することができる。画定パターンを使用して、タブレットデバイス１００に情報を伝達することができる。情報は、例えば、色、タイプ、スタイル、シリアル番号などのような保護カバー２００の態様及び特徴を含むことができる。受動素子に加えて、フラップ２０２は、保護カバー２００を識別するために使用され得るＲＦＩＤデバイス２１８のような能動素子２１８を含むことができる。詳細には、保護カバー２００が閉構成であるとき、フラップ２０２は、カバーガラス１０８と接触することができ、それにより、タブレットデバイス１００内のＲＦＩＤセンサは、ＲＦＩＤデバイス２１８を「読み取る」ことが可能になる。このようにすると、保護カバー２００のシリアル番号、スタイル、製造日及び製造場所、認証コードの識別情報のようなカバー２００に関する情報を取り出すこともできる。
【００４６】
また、保護カバー２００は、ＡＬＳ又はカメラアセンブリのような光学センサにより検出可能であり得る特徴部を含むことができる。例えば、保護カバー２００に、選択された量の光がＡＬＳ  １１２又はカメラアセンブリ１１０の近傍で保護カバー２００を貫通することを可能にし得るマイクロ穿孔２２０を形成することができる。マイクロ穿孔２２０は、タブレット１００に情報を伝達し得るパターンで配列することができる。例えば、マイクロ穿孔２２０は、特定の光信号の形態の情報を提供し得るバーコード配列で構成することができる。
【００４７】
図３Ａ及び図３Ｂは、互いに対して磁気的に取り付けられた保護カバー２００及びタブレットデバイス１００を示しているが、フラップ２００とタブレットデバイス１００との間の取り付けは任意の形態とすることが可能である。例えば、保護カバー２００は、フラップ２０２に枢動可能に結合されたスリーブ部分で形成することができる。このようにすると、タブレットデバイス１００をスリーブ部分に挿入することができ、次いで、磁気取り付けを必要とせずにフラップ２０２を開構成及び閉構成へと枢動させることができる。ただし、この議論の残りの部分では、一般性を損なうことなく、保護カバー２００とタブレットデバイス１００とは、互いに対して磁気的に取り付けられると仮定する。
【００４８】
図３Ａは、保護カバー２００が閉構成であり、それにより、カバーガラス１０８が完全にフラップ２０２によって覆われ、フラップ２０２と接触している磁気取り付け実施形態を示す。保護カバー２００は、ヒンジアセンブリ２０６を中心に図３Ａの閉構成から図３Ｂの開構成へと枢動することができる。閉構成では、フラップ２０２の内部層をカバーガラス１０８と直接接触させることができる。このようにすると、タブレットデバイス１００中に配設された対応する検出回路により、受動素子２０８を検出することができる。例えば、受動素子２０８が容量性素子を含む場合、カバーガラス１０８の下のディスプレイアセンブリ内に配設されたマルチタッチ（ＭＴ）回路は、容量性素子２１６を検出し、「読み取る」ことができる。このようにすると、容量性素子２１６を使用して、保護カバー２００に関する情報を伝達することができる。例えば、容量性素子２１６のパターンで符号化された情報をＭＴ回路により検出し、その情報はプロセッサに送ることができる。プロセッサは、次に、容量性素子２１６のパターンを、保護カバー２００の種々の特徴を識別するために使用され得る署名として読み取ることができる。パターンは、幅広く変えることができる。第１のパターンは、信号対雑音比を最大化し、それにより、ＭＴ回路の読み取り能力を向上させるために、任意の２つの隣接する容量性素子間の容量性信号の差を最大化することができる。
【００４９】
例えば、容量性素子２１６は、カバーガラス１０８の下に配設されたカルテシアン検出グリッドに対して対角的に配置される金属ストリップの形態をとることができる。このようにすると、（バイナリ「１」のような）特定の情報要素を特定の向きと関連付けることによって、金属ストリップの相関パターンを使用して、タブレットデバイス１００中のプロセッサに情報を受動的に伝達することができる。ただし、隣接する容量性素子間の差分信号を最大化する必要性は、向きを変えるだけなく、サイズ、形状、材料を変えることなどによって（種々の容量性素子の電気特性を変動させることにより）達成することができることを留意されたい。
【００５０】
図４は、セグメント化カバーアセンブリ４００の形態の保護カバー２００の特定の実施形態の平面図を示す。セグメントの数を幅広く変えることができることに留意されたい。例えば、図４に示すように、セグメントの数は４つである。しかしながら、他の実施形態では、（例えば、図５に示すように）セグメントの数は３つとすることができ、（図２のような）他の実施形態では、セグメントの数は１つとすることができる（すなわち、単一フラップとすることができる）。
【００５１】
カバーアセンブリ４００は、本体４０２を含むことができる。本体４０２は、タブレットデバイス１００のカバーガラス１０８に応じたサイズ及び形状を有することができる。本体４０２は、単一の折り畳み可能な又は柔軟性のある材料で形成することができる。また、本体４０２は、折り畳み領域によってそれぞれから分離したセグメントに分けることができる。このようにすると、折り畳み領域において、セグメントを互いに対して折り畳むことができる。一実施形態では、本体４０２は、ラミネート構造を形成しながら、互いに対して取り付けられた材料の層で形成することができる。それぞれの層は、本体４０２と適合するサイズ及び形状を有し得る単一の材料の形態をとることができる。また、それぞれの層は、本体４０２の一部分のみに対応するサイズ及び形状を有することができる。
【００５２】
特定の実施形態において、セグメント化された本体４０２を、より薄くて折り畳み可能な部分４１２に挟まれた複数のセグメント４０４〜４１０に分割することができる。セグメント４０４〜４１０のそれぞれは、その中に配設された１つ以上のインサート（図示せず）を含むことができ、インサートは、本体４０２に弾力性を付加する剛性材料又は半剛性材料で形成することができる。使用され得る材料の例として、プラスチック、ガラス繊維、炭素繊維複合材、金属などを挙げることができる。セグメント４０４は、磁気取り付けシステム４１４を収容することができる。磁気取り付けシステム４１４は、磁石４１６を含むことができ、そのうちのいくつかは、タブレットデバイス１００中の磁石と、より詳細には、取り付け特徴部２０中の磁石２２と相互作用することができる。磁石４１６は、磁石２２と磁気的に相互作用して、カバー４００をタブレットデバイス１００に固定することができる。ただし、磁石４１６を使用して、磁気的引き付け可能素子４１８を用いて磁気回路を形成することによって三角形の支持構造を形成することもできる。一実施形態では、磁石２２は、磁石４１６による磁界を増強するために、ハルバッハアレイに従った磁気アレイで配列することができる。ハルバッハアレイにより提供される磁界の向上した片側性は、磁力を増強するのに非常に適している。例えば、ハルバッハアレイとして配列された磁石４１６は、磁気素子４１８に実質的により多くの磁束を通すことができ、本質的には、磁束はカバー４００の外部表面を通過しない。このようにすると、カバー４００の外部の磁気に関連するあらゆる影響をなくしながら、磁石４１６と磁気的引き付け可能素子４１８との間の磁気引力を釣り合いの取れた形で増大させることができる。
【００５３】
また、カバー４００は磁気素子２１０を含むことができ、磁気素子２１０は、タブレットデバイス１００に取り付けられたときにカバー４００のラッキングを低減するように、対応する磁気取り付けシステム２０に磁気的に取り付けるために使用され得る。また、カバー４００は、フラップ４０２がカバーガラス１０８の上方の所定の位置にあるときにホール効果センサ１１６を活性化するために使用され得る磁気素子２１２も含むことができる。また、カバー４００は、タブレット１００内に配設されたセンサを補足する受動素子又は能動素子を含むことができる。例えば、カバー４００は、例えば磁気アレイ２１４を検出することができる複数のＨＦＸセンサをタブレットデバイス１００が含むときに、タブレットデバイス１００に情報を伝達するように構成され得る磁気アレイ２１４を含むことができる。このようにすると、磁気符号の形態の情報をタブレットデバイス１００に提供することができる。
また、カバー４００は、タブレット１００内に配設された容量性マルチタッチ回路により読み取ることができる（容量性素子２１６のような）受動素子２１６を含むことができる。また、カバー４００は、ＲＦＩＤベースの素子２１８のような能動素子を含むことができる。更に、カメラアセンブリ１１０又はＡＬＳ  １１２に光信号を提供することができる光伝送特徴部を含むようにカバー４００を構成することができる。光伝送特徴部は、カメラアセンブリ１１０又はＡＬＳ  １１２により読み取ることができるパターンで光を通すパターン形成されたマイクロ穿孔を含むことができる。
【００５４】
図５は、カバーアセンブリ５００の形態の保護カバー２００の別の実施形態の平面図を示す。カバーアセンブリ５００は、本体５０２を含むことができる。図５に示す実施形態では、セグメント化された本体５０２を３つのセグメントに、すなわち、セグメント５０４、５０６及び５０８に分割することができ、それぞれのセグメントは、より薄くて折り畳み可能な部分５１０によって、隣接するセグメントに結合されている。セグメント５０４〜５０８のそれぞれは、その中に配設された１つ以上のインサートを含むことができ、インサートは、セグメント化された本体５０２に構造的支持を提供するために使用することができる。すなわち、インサートは、カバーアセンブリに剛性を与えることができる。いくつかの場合には、インサートは、補強材と呼ばれるあることがある。したがって、カバーアセンブリ５００は、折り畳み可能な領域沿いを除いて比較的硬く、折り畳み可能な領域は、より薄く、インサートを含まず、セグメント化カバーアセンブリ５００をよりロバストにし、より扱いやすくする（例えば、折り畳むことを可能にする）。一実施形態では、セグメント５０４、５０６及び５０８は、互いに対して、セグメント５０４〜５０８を使用して三角形の支持構造体を形成することができるようなサイズ関係を有することができる。
【００５５】
一実施形態では、セグメント化された本体５０２は複数の磁石を含むことができ、そのうちのいくつかを使用して三角形の構造を形成することができる。例えば、セグメント５０４は、セグメント化された本体５０２の第１の端縁５１４に沿って直線的に配列された第１の端縁の取り付け磁石５１２を含むことができ、セグメント５０８は、第１の端縁５１４の反対側の第２の端縁５１８に沿って直線的に配列された第２の端縁の取り付け磁石５１６を含むことができる。この実施形態では、第１の端縁の取り付け磁石５１２と第２の端縁の取り付け磁石５１６とは、それぞれの第１の端縁の取り付け磁石５１２を第２の端縁の取り付け磁石５１６のうちの対応する１つと関連付けることができる１対１対応を有する。例えば、第１の端縁の取り付け磁石５１２−１は、極性Ｐ２を有する第２の端縁の取り付け磁石５１６−１と関連付けられ得る極性Ｐ１を有することができ、第１の端縁の取り付け磁石５１２−１と第２の端縁の取り付け磁石５１６−１とは、ほぼ同じサイズ及び磁気強度である。このようにすると、三角形の構造は、磁気端縁アタッチ技術を使用して三角形の構造を形成することができるので、（磁気的引き付け可能素子４１８のような）別個の磁気的引き付け可能素子を必要とせずに形成することができる。磁気端縁アタッチ技術は、磁気回路を形成するために互いに近づいた（必ずしも重なっているとは限らない）ときの第１の端縁の取り付け磁石と第２の端縁の取り付け磁石とに依拠する。磁気回路は、三角形の構造を適切な構成で維持するための好適な磁気引力を提供することができる。
【００５６】
また、カバー５００は、磁気素子２１０を含むことができ、磁気素子２１０は、タブレットデバイス１００に取り付けられたときにカバー５００のラッキングを低減するように、対応する磁気取り付けシステム２０に磁気的に取り付けるために使用され得る。また、カバー５００は、本体５０２がカバーガラス１０８の上方の所定の位置にあるときにホール効果センサ１１６を活性化するために使用され得る磁気素子２１２を含むことができる。カバー５００は、例えば、磁気アレイ２１４を検出することができる複数のＨＦＸセンサを使用して、タブレットデバイス１００に情報を伝達するように構成され得る磁気アレイ２１４を含むことができる。
カバー５００は、タブレット１００内に配設された容量性マルチタッチ回路により読み取ることができる容量性素子２１６のような他の受動素子を含むことができる。また、カバー５００は、ＲＦＩＤベースの素子２１８のような能動素子を含むことができ、カバー４００の場合と同様に、カメラアセンブリ１１０又はＡＬＳ  １１２に光信号を提供することができる（パターン形成されたマイクロ穿孔のような）光伝送特徴部を含むようにカバー５００を構成することができる。
【００５７】
図６Ａ及び図６Ｂは、タブレットデバイス１００に対して部分的開構成のセグメント化カバー４００を示し、図６Ｃは、それに対応して類似の部分的開構成のセグメント化カバー５００を示す。また、カバー４００とカバー５００は両方とも折り畳み可能であり、複数のセグメントを有するので、カバー４００に関する以下の説明はカバー５００にあてはめることができることに留意すべきである。部分的開構成とは、セグメント化カバー４００（又はカバー５００）のセグメント化された性質に起因して、一度に、保護層１０８の一部分のみを露出させることができることを意味する。ただし、カバー４００の折り畳み構成に合致する好適な様式でタブレットデバイス１００が動作するために、タブレットデバイス１００中のプロセッサは、カバー４００とタブレットデバイス１００との間の空間的関係をリアルタイムで正確に判定することが可能でなければならない。
【００５８】
例えば、図６Ａに示すように、磁石４１６からの磁界をＨＦＸセンサ１１６が検出することができないような状況では、カバー４００とタブレットデバイス１００との間の３つの空間的関係がそのシナリオに合致する。可能性がある状態（１）では、カバー４００とタブレットデバイス１００とが互いに対して磁気的に取り付けられておらず、可能性がある状態（２）では、カバー４００がタブレットデバイス１００に磁気的に取り付けられているが、全開構成であり、あるいは可能性がある状態（３）では、カバー４００がタブレット１００に取り付けられており、少なくとも第１の部分開状態又は第１のピークモード状態である。したがって、この問題を解決するために、他のセンサとそれらの関連データとを使用することができる。例えば、可能性がある状態（１）であると決定するために、磁気コンパス１１４が認識している磁気オフセットが、磁気取り付けシステム１０４が活性であるときに予想される磁気オフセットと合致するかどうかについての判定を行うことができる。この磁気オフセットは、タブレットデバイス１００中の磁石並びに磁気取り付けシステム２０４中の磁石の存在に起因し得る。磁気オフセットが、取り付けられていない状態（すなわち、基準線磁気オフセット）と合致する場合、その状況を構成状態（１）、すなわち、磁気接続がない状態であると決定することができ、プロセッサは、タブレットデバイス１００をそれに応じて動作させることができる（ディスプレイアセンブリは完全に閲覧可能であり、そのディスプレイエリア全体にビジュアルコンテンツを完全に提示することができる）。また、タブレットデバイス１００の接続状態を決定するのを補助するために、他のセンサを使用することができる。他のセンサは、磁気取り付けシステム１０４に近接して配設されたＨＦＸセンサ、並びに不活性状態から活性状態に遷移させるために磁石を移動させることに依拠して磁気取り付けシステム中の移動可能な磁気素子が移動していることを決定し得る（線形ホール効果センサ、タクトスイッチなどのような）センサを含むことができる。
【００５９】
ただし、タブレットデバイス１００とカバー４００とが互いに対して磁気的に取り付けられていると決定された場合、依然として状態（２）又は状態（３）のいずれかの可能性がある。この状況を解決するために、追加のセンサと関連データとを使用することができる。例えば、ＡＬＳ  １１２又はカメラアセンブリ１１０が少なくとも最小量の光を検出することができない場合、セグメント４０６（又はカバー５００中のセグメント５０６）が光を遮断している、したがって、所定の位置でカバーガラス１０８の対応する部分と重なったままでいることを除外することができる。したがって、プロセッサは、第１のピークモードと呼ばれるモードで、セグメント４０４のみが持ち上げられ、カバーガラス１０８の対応する部分６０２を露出させていると推定することができる。使用され得る他のセンサは、筐体１２の端縁１２ｂ又は１２ｃのいずれかに沿って配設された、セグメント４０４〜４１０中の対応する磁石を検出することができる追加のホール効果センサを含み得る。カバー４００が第１のピークモード折り畳み構成であるとプロセッサが判定すると、プロセッサは、ディスプレイアセンブリの部分６０２にのみビジュアルコンテンツを提示するようにタブレット１００に指示することができる。
【００６０】
一方、ＡＬＳ又はカメラアセンブリ１１０が少なくとも最小量の光を検出することができる場合、更に他のセンサを使用して、カバー４００が全開しているか、あるいは（図６Ｂに示される）展開ピークモードであるかを決定することができる。例えば、タブレットデバイス１００中に配設されたＨＦＸセンサが、セグメント４０８中の対応する磁石を検出することができる場合、プロセッサは、セグメント４０８がカバーガラス１０８の対応する部分上の所定の位置にあり、カバー４００が図６Ｂに従って展開ピークモードの折り畳み状態であると推定することができる。一方、ＨＦＸセンサがその磁石を検出しない（又はセグメント４１０中の磁石を１つも検出しない）場合、プロセッサは、カバー４００が全開構成であると推定し、それに応じてビジュアルコンテンツを提示するようにタブレットデバイス１００に指示することができる。
【００６１】
磁石に加えて、カバーガラス１０８と接触したままである（セグメント４０６、４０８、４１０のような）セグメント中の容量性素子のパターンを検出し、プロセッサによりそれを使用して、カバー４００の折り畳み状態を解決することができる。セグメント４０６中の容量性素子が検出されたということは、セグメント４０６がカバーガラス１０８と接触しているということを明瞭に示すものである。ただし、ＨＦＸセンサ１１６は、磁気素子４１６による磁界をもはや検出していないので、タブレットデバイス１００中のプロセッサは、他のすべてのセグメントがカバーガラス１０８と接触しているままの状態でセグメント４０４のみが持ち上げられ、カバー４００が第１のピークモード構成であると推定することができる。
【００６２】
プロセッサは、この情報を使用して、カバー４００の折り畳み状態に応じてタブレットデバイス１００の動作状態を変更することができる。例えば、プロセッサは、バッテリーレベル、時刻、電子メールなどのような情報をその部分６０２のみに表示することができる。また、セグメント４０６において検出された情報をタブレットデバイス１００により使用して、閲覧可能部分６０２にビジュアルコンテンツを提示するディスプレイアセンブリの一部分に、特定のビジュアルコンテンツを提示することができる。例えば、タブレットデバイス１００は、利用可能な提示リソースに従った様式で、閲覧可能部分６０２による提示のためにのみ好適な視覚情報を表示する。例えば、（アイコン、グラフィカルユーザ入力及びビデオのような）視覚要素は、提示のために利用可能なサイズ及び画素数に従った様式で処理することができる。視覚要素は、受信した電子メール、気象状態などに関する情報アイコンを含むことができる。一実施形態では、ビデオ又は静止画を提示するために利用可能な画素数のようなビジュアル提示リソースは、カバー４００又はカバー５００を通して一貫することができる。例えば、一貫したユーザエクスペリエンスを提供するために、セグメント４０４及びセグメント５０４のサイズは、第１のピークモードにおいて、同じ画素数を提示リソースとして利用可能であるようにすることができる。このようにすると、タブレットデバイス１００は、第１のピークモードでビジュアルコンテンツを提示するために、特定の構成（３つ折り又は４つ折り）を把握する必要はない。
【００６３】
図６Ｂは、セグメント４０４に加えて、セグメント４０６も持ち上げられている別の部分的に開いた状況を示している。一実施形態において、セグメント４０６中の容量性素子２１６はもはや検出されないが、セグメント４０８中の容量性素子２１６を検出することができると判定されたとき、セグメント４０４及び４０６のみを確認することができると判定。このようにすると、向上した表示エクスペリエンスを提供するために、追加の表示リソースを有効にすることができる。容量性素子を使用することに加えて、他のセンサを利用することができる。例えば、ＡＬＳ  １１２及びカメラアセンブリ１１０を別々に又は組み合わせて使用して、（ＡＬＳ  １１６の場合には）検出された周囲光の量に基づいて、及び／又はカメラアセンブリ１１２による周期的画像キャプチャイベントに基づいて、セグメント４０８が持ち上げられていると判定することができる。上記で論じたように、磁力計を使用して、磁気取り付けシステム１０４の取り付け状態（活性であるか、又は不活性であるか）を判定することができる。このようにすると、プロセッサは、この情報を使用して、ピークモードと展開ピークモードとを区別することができる。更に別の実施形態では、セグメント化カバー４００の外周のタブレットデバイス１００中の検出ノードと対応する選択された場所に素子６０４を配置することができる。このようにすると、検出ノードによって素子６０４を検出する能力は、タブレットデバイス１００に対するセグメント化カバー４００の状態を更に示すことができる。
【００６４】
図６Ｃに示すように、第１のピークモードでは、タブレットデバイス１００は、上記で論じたようにアイコン６２０の形態のビジュアルコンテンツを提示することができる。したがって、時刻、ノートなどのようなビジュアルコンテンツの形態の情報は、ディスプレイの閲覧可能部分のみで閲覧するために提示され得る。セグメント５０６がガラス層１０８上に戻されたことをセンサが検出すると、タブレット１００は、スリープ状態のような以前の動作状態に戻ることができる。更に、別の実施形態では、タッチに応答するように配列されたアイコンが表示されると、ディスプレイの可視部分に対応するタッチ感知層の一部分も活性化することができる。上記のように、ビジュアル提示リソース（画素など）の量は、カバー４００又はカバー５００とともに使用されるときのタブレットデバイス１００の両方について同じであり得る。換言すれば、セグメント４０４及び５０４のサイズは、部分６０２及び６２２に対応するビジュアル提示リソースの量がほぼ同じとなるようにする。
【００６５】
図７Ａは、選択されたアイコン７０２又は他の視覚要素をタブレットデバイス１００のディスプレイ１６の閲覧可能部分７０４にのみ表示することができる第１のピークモードで動作しているタブレットデバイス１００を示す。アイコン７０２は単にディスプレイタイプのアイコンであり得、又は、いくつかの事例では、アイコン７０２の一部又は全部が、ユーザ対話型であり得る。例えば、アイコン７０２−１は、現在時刻を示す時計を表示することができ、アイコン７０２−２は、タブレットデバイス１００により実行されるメディアプレーヤ機能の動作を修正するために使用されるグラフィカルユーザインタフェースを表すことができる。他のアイコンは、現在の気象状態を表すアイコン７０２−３、株式市場結果を表すアイコン７０２−４などを含み得る。一方、図７Ｂは、所定の量よりも多くのディスプレイ１６が閲覧可能であると判定されたときに追加の機能をイネーブルすることができる第２のピークモードを示している。このモードでは、ディスプレイ１６と接触している保護カバー７００の一部分において利用可能な追加の情報は、タブレットデバイス１００に、開示された線に沿ってその動作状態を変更させることができる。例えば、進行したピークモードでは、閲覧可能である追加のディスプレイエリアを使用して、（ユーザーインタフェース７０２−２又は等価物が重なった状態の）ビデオ７０４、テキストデータ７０６などを提示することができる。
【００６６】
閲覧可能なディスプレイの量に応じてアイコン及びアイコン挙動を修正することができることを留意されたい。例えば、タブレットデバイスがピークモード又は関連モードで動作していることを示す通知アイコンを提示することができる。更に、グラフィカルユーザインタフェース、即ちＧＵＩの形態のアイコンの特性は、例えば、閲覧可能であるディスプレイの量に関係し得る。例えば、第１のピークモードでは、閲覧可能であるディスプレイの量に応じて、ＧＵＩのサイズを拡大又は縮小することができる。更に、画素数、画素密度、ビジュアルフィールドにおける配置などのような他の特性は、ピークモード並びにピークモードの速度に関係し得る。ピークモードの速度とは、タブレットデバイスが動作状態を対応するピークモード状態に変更するためにかかる時間を意味する。１つの例では、カバーの一部分が持ち上げられると、ディスプレイに提示されるビジュアルコンテンツは、カバーが第１のピークモードから（連続して持ち上げ得られる場合には）第２のピークモードまで持ち上げられ、そして全開するまでカバーの連続移動中ずっと、カバーを追跡することができる。
【００６７】
図８は、説明される実施形態によるタブレットデバイス１００に枢動可能に結合された保護カバー４００を含むシステム８００を示す。この実施形態では、少なくとも１つのセグメント４０４〜４１０は、種々のパターンで配列された容量性素子の形態を取り得る受動素子２１６を含むことができる。それぞれのパターンは、情報をデータの形態で符号化することができる。例えば、タブレットデバイス１００中のＭＴ回路により検出可能なときには、容量性素子の交互対角配列は、信号対雑音比を最大化することができる。このようにすると、容量性素子８０２は、実際には導電性とすることができ、検出の信頼性を最大化するために、タブレットデバイス１００中の検出ノードに対して交互対角パターンでセグメント４０４に組み込まれた（例えば、アルミニウムで形成された）金属ストリップの形態をとることができる。例えば、対角金属ストリップ８０２のうちの少なくともいくつかを、タブレットデバイス１００中に配設された容量性検出グリッドに対して約４５°で配列することができる。容量性素子は、１つのセグメントから別のセグメントに変わることができ、それぞれのセグメント内からも変わることができる。このようにすると、種々の構成の容量性素子を使用することによって、任意の数の異なる方法で情報を符号化することができる。
【００６８】
図９は、システム８００のより一般化されたバージョンであるシステム９００を示しており、種々の情報素子が示されている。例えば、カバー４００は、一定のパターンで配列された磁気アレイ９０２を含むことができ、磁気アレイ９０２は、タブレットデバイス１００中に配設された磁気センサ９０４により検出することができる。磁気アレイ９０２は、種々の態様のカバー４００を識別するために使用され得る情報を符号化することができる。例えば、磁気センサ９０４が磁気アレイ９０２のそれぞれの部材による磁界を決定することができる場合、少なくとも４単位の情報を符号化することができる。例えば、磁気アレイ９０２が、第１の位置、第２の位置及び第４の位置に３つの磁石を含む場合、磁気センサ９０４の対応する１つによる磁石の検出は、（「１」のような）情報単位として決定され得る。この例では、磁気センサ９０４により、第１の位置、第２の位置及び第４の位置に磁石を有する磁気アレイ９０２を、（色、スタイルなどのような）カバー４００に関係する４つの情報状態を識別するために使用され得るデータワード｛１，１，０，１｝と決定することができる。いくつかの場合には、磁気センサ９０４が磁気アレイ９０２のそれぞれの磁気極性を決定することができる場合、追加の情報状態を符号化することができる。更に他の実施形態では、磁気アレイ９０２中の構成磁石の相対磁界強度を使用して、情報を符号化することもできる。
【００６９】
タブレットデバイス１００中に配設された対応するセンサ９０８により検出可能となるように（磁石９０６のような）素子を配列することによって、位置情報を提供することができる。例えば、磁石９０６がセグメント４０４〜４１０のうちの１つ以上に配置される場合、磁石を組み込んでいるそのセグメントがカバーガラス１０８を重なっているときに、タブレットデバイス１００中に配設された磁気センサ９０８は、磁石９０６のうちの対応する１つを検出することができる。このようにすると、タブレットデバイス１００は、この情報を使用して、カバー４００とタブレットデバイス１００との間の空間的関係を決定することができる。例えば、ホール効果センサ９０８−１が磁石９０６−１を検出せず、ホール効果センサ９０８−２が磁石９０６−２を検出した場合、タブレットデバイス１００は、カバー４００が、セグメント４０４のみがカバーガラス１０８から離れるように折り畳まれている第１の部分的開構成であると推定することができる。同様に、センサ９０８−３は磁石９０６−３を検出することができないが、（センサ９１０のような）取り付けセンサが、タブレット１００とカバー４００とが互いに対して取り付けられていることを確認した場合、タブレットデバイス９００は、カバー４００が、セグメント４０４、４０６及び４０８がタブレット１００から離れるように折り畳まれている展開折り畳み構成であると推定することができる。この構成では、タブレットデバイス１００は、ビジュアルコンテンツをディスプレイアセンブリの閲覧可能部分（カバー４００が全閉構成であるときにセグメント４０４〜４０８が重なるディスプレイの部分）に提示することによって、展開ピークモードで動作することができる。
【００７０】
カバー４００中の磁石を検出することに加えて、磁気センサ９１０は、磁気取り付けシステムの状態を検出するために使用することができる。例えば、タブレットデバイス１００が移動可能な磁気素子を使用する磁気取り付けシステムを有する場合、磁気センサ９１０は、現在の局所的な磁気環境を検出することができる。タブレットデバイス１００中のプロセッサは、現在の局所的な磁気環境が、移動可能な磁石が活性状態であることに合致するか、又は不活性状態であることに合致するかを判定することができる。現在の局所的な磁気環境が、磁気取り付けシステムが活性であることに合致するものである場合、タブレットデバイスは、カバー４００がタブレット１００に取り付けられ、カバー４００の折り畳み構成に応じて動作すると推定することができる。
【００７１】
追加のリソースは、光学リソース９１２を含み得る。一実施形態では、光学リソース９１２は、光がカバー４００を通過してカメラアセンブリ１１０及びＡＬＳ  １１２のいずれか又は両方に達することを可能にすることができるマイクロ穿孔のパターンの形態をとることができる。このパターンは、例えば、カバー４００に関係する情報を符号化し得るバーコード９１４の形態をとることができる。また更に、タブレットデバイス１００中に配設された対応する回路９１８によって、ＲＦＩＤタグ９１６のような能動素子を検出することができる。
【００７２】
図１０は、説明される実施形態によるプロセス１０００を詳述するフローチャートを示す。プロセス１０００は、１００２において、（ホール効果センサのような）第１の磁気センサから、磁気センサが保護カバー中に配設された磁石に対応する磁界を検出しなかったことを示す磁石非検出信号をタブレットデバイスで受信することによって実行することができる。この時点において、タブレットデバイスは、カバーが取り付けられているかどうかと、取り付けられている場合にはカバーの折り畳み構成とを推定しなければならない。１００４において、第２のＨＦＸセンサから、カバーが取り付けられていることを示す磁石検出信号を受信する。タブレットデバイスは、１００６において、第１のＨＦＸセンサと第２のＨＦＸセンサとの組み合わせにより提供された情報を使用して、カバーが第１の折り畳み構成であると判定する。タブレットデバイスは、１００８において、カバーの第１の折り畳み構成に合致する第１のピークモードに従ってビジュアルコンテンツを提示する。
【００７３】
図１１は、説明される実施形態によるプロセス１１００を詳述するフローチャートを示す。プロセス１１００は、１１０２において、（ホール効果センサのような）磁気センサから、カバー中に配設された磁石が検出されないことを示す信号を受信することによって実行することができる。１１０２において、タブレットデバイス中のプロセッサは、１１０４においてタブレットデバイス中に配設された光学システムを活性化することによって受信される信号に応答する。光学システムは、カメラのような画像キャプチャデバイス又は周囲光センサ（ＡＬＳ）のような光検出器デバイスを含むことができる。１１０６において、光が検出されたかどうかについての判定が行われる。１１０６において、光が検出されたと判定され、１１０８において、タブレットデバイスにより磁石検出信号を受信した場合、１１１０において、カバーは第２の折り畳み構成であり、１１１２において、タブレットデバイスが、第２のピークモードに従って視覚情報を提示する。第２のピークモードは、ディスプレイの追加の部分が閲覧可能でありビジュアルコンテンツを提示する、展開ピークモードである。
【００７４】
１１０６に戻って、光学システムが光を検出しない場合、１１１４において、カバーは第１の折り畳み構成であり、１１１６において、タブレットデバイスは、第１のピークモードに従ってビジュアルコンテンツを提示する。光を検出することに加えて、他の実施形態は、光学システムにより検出可能であり得るカバーの下面の画像を使用することについて説明することを留意されたい。このようにすると、光学システムは、画像をキャプチャすることによって、少なくともカバーの対応する部分がタブレットデバイスと接触していることを確認することができる。
【００７５】
図１２は、説明される実施形態によるプロセス１２００を詳述するフローチャートを示す。プロセス１２００は、１２０２において、タブレットデバイスにより磁気センサから磁石非検出信号を受信することによって、実行することができる。１２０４において、タブレットデバイス中のプロセッサは、局所的な磁気環境を評価することによって、非検出信号の受信に応答する。一実施形態では、１２０６において、磁力計を使用して、磁気オフセット値を判定することによって、局所的な磁気環境を評価することができる。１２０６において、磁気オフセット値が、カバーが磁気的にタブレットデバイスに取り付けられていることと合致しないと判定された場合、１２０８において、カバーは、タブレットデバイスに磁気的に取り付けられておらず、プロセス１２００が終了する。一方、磁気オフセットが、カバーがタブレットデバイスに磁気的に取り付けられていることと合致する場合、１２１０において、磁石検出信号を受信し、１２１２において、カバーは第１の折り畳み構成であり、１２１４において、タブレットは、第１のピークモードによるビジュアルコンテンツを提示する。
【００７６】
図１３は、説明される実施形態による状態ピークモード状態図１３００を示す。ピークモード状態図は、３つのタブレットデバイス動作状態（標準、第１のピーク、第２のピーク）を示しているが、いくつかの実施形態では、動作状態の数は、折り畳み可能なセグメントの数に関連し得る。例えば、ｎが折り畳み可能なセグメントの数を表す場合、（タブレットデバイスに対して適切なセンサリソースがあると仮定すると）ｎ−１個のピークモードが利用可能であり得る。図１３に目を向けると、折り畳み可能なカバーが開構成又は閉構成のいずれかであるとタブレットデバイスが判定したとき、タブレットデバイスは、１３０２の標準的な動作モードで動作することができる。開構成（１３０４）では、ディスプレイアセンブリは、制限なしに現在のビジュアルコンテンツを提示する。閉構成（７０６）では、ディスプレイアセンブリが任意のビジュアルコンテンツを提示することを止める。
【００７７】
タブレットデバイスが標準モード（１３０２）であり、（「Ｓ１」と表される）第１のセグメントが持ち上げられている場合、タブレットデバイスは、第１のセグメントのみが持ち上げられていると判定し、第１のピークモード動作状態（１３０８）に変わる。第１のピークモード動作状態では、ディスプレイアセンブリにより提示される任意のビジュアルコンテンツは、第１のセグメントが持ち上げられていることに合致する閲覧可能であると判定されたディスプレイアセンブリの部分に制限される。第１のピークモードでは、第１のセグメントがタブレットデバイスからもはや持ち上げられていない場合、タブレットデバイスは標準モード（１３０２）に、より詳細には、閉構成に戻る。しかしながら、タブレットデバイスが第１のピークモード（１３０８）であり、第１のセグメント（「Ｓ２」）がタブレットデバイスによって持ち上げられていると判定された場合、タブレットデバイスは、第２のピークモード（１３１０）に変わる。第２のピークモードでは、ディスプレイアセンブリによって、閲覧可能であると判定される部分にのみビジュアルコンテンツが提示される。
【００７８】
第１のセグメントが持ち上げられていないとタブレットデバイスが判定した場合、タブレットデバイスは、第２のピークモードから第１のピークモードに遷移する。また、タブレットデバイスが第２のピークモードであり、両方のセグメントが持ち上げられていないとタブレットデバイスが判定した場合、タブレットデバイスは、第２のピークモードから、折り畳み可能なカバーが閉構成であることに合致する標準モードに直接遷移する。反対に、タブレットデバイスは、第１のセグメントと第２のセグメントとが両方とも同時に持ち上げられているときには、閉構成に合致する標準モードから直接遷移することができる。また、第２のピークモードでは、タブレットデバイスは、カバーのすべての残りのセグメントが持ち上げられているときには、折り畳み可能なカバーが開構成であることに合致する標準モードに直接遷移することができる。
【００７９】
タブレットデバイスの現在の動作状態に応じてアプリケーションを実行することができることを留意されたい。例えば、第１のピークモードで動作しているアプリケーションは、第２のピークモードに直ちに遷移することができる（その逆も同様である）。電子メールアプリケーションの場合、標準モードでは、電子メールメッセージの完全版を提示することができ、第２のピークモードでは、小型版（場合によっては、あらかじめ定義された要約のみ）を提示することができ、第１のピークモードでは、件名のみを提示することができる。ユーザは、カバーがピークモードに合致するように配置されていることにタブレットデバイスがどのように応答するかについて決定し得るピークモード設定を提供することができる。
【００８０】
図１４は、説明される実施形態によるプロセス１４００を詳述するフローチャートを示す。プロセス１４００は、少なくとも以下の動作を折り畳み可能なカバーと関連付けられたタブレットデバイスにより実行することによって実行することができる。説明される実施形態では、プロセス１４００は、１４０２において、折り畳み可能なカバーがタブレットデバイスに対して閉じているかどうかを判定することによって開始することができる。「閉じている」とは、保護カバーが、タブレットデバイス内に配設されたマルチタッチ（ＭＴ）検出グリッドを覆い、したがって、そこに近接していることを意味する。例えば、タブレットデバイスがディスプレイを含むとき、ディスプレイは、ＭＴ検出グリッドに応じたＭＴ機能を含むことができる。更に、カバーが閉じているかどうかについての判定は、任意の好適な様式で決定することができる。例えば、光学センサは、検出された光の量に基づいて保護カバーの有無を検出し、その光の量に基づいて、折り畳み可能なカバーが閉じているか否か、又は開いているか否かを推定することができる。
【００８１】
いずれの場合にも、折り畳み可能なカバーが閉じていると判定されると、１４０４において、情報素子のパターンが検出されたかどうかについての判定が行われる。一実施形態では、情報素子は、情報素子のサイズ、向き、形状など、及びＭＴ検出グリッドに基づいて、容量性で情報を記憶することができる。したがって、情報素子のパターンは、情報素子のそれぞれの個々の特徴の相関に基づき得る。例えば、情報素子がアルミニウム製の対角ストリップであるとき、右方向の傾きは「１」と関連付けられ、左方向の傾きは「０」と関連付けられ得て、その逆も同様である。パターンが検出された場合、１４０６において、パターンを認識したかどうかについての判定が行われる。パターンを認識しなかった場合には、プロセス１４００は終了し、パターンを認識した場合には、１４０８において、認識されたパターンを折り畳み可能なカバー情報と関連付ける。折り畳み可能なカバーの情報は、例えば、色、スタイル、製造日及び製造場所などを含むことができる。次いで、１４１０において、折り畳み可能なカバー情報を、後で参照するためにタブレットデバイス中のデータ記憶デバイスに記憶することができる。例えば、折り畳み可能なカバーの情報の一部がシリアル番号を含む場合、そのシリアル番号は、タブレットデバイス中のデータ記憶デバイスに周期的に記憶され、そこで更新され得る認証された折り畳み可能なカバーのデータベースと関連付けられ得る。折り畳み可能なカバーのシリアル番号が認証されたシリアル番号に合致しない場合、カバーが認証されていないことが推定される。
【００８２】
図１５は、説明される実施形態によるプロセス１５００を詳述するフローチャートを示しており、プロセス１５００は、１５０２において、カバーが全閉構成であることを示す磁石検出信号をタブレットデバイスが第１の磁気センサから受信したときに、開始する。より詳細には、プロセス１５００は、１５０２において、カバーの状態が閉じているという指示をＨＦＸセンサから受信することによって開始する。１５０４において、タブレットデバイス中に配設されたマルチタッチ（ＭＴ）センサが、ＭＴイベントを検出する。ＭＴイベントは、カバーとともに配設された容量性素子の結果であり得る。容量性素子は、情報を符号化するために使用される特定のパターンで配列することができる。１５０６において、ＭＴイベントに対応する容量性パターンと関連付けられた情報がタブレットデバイスに記憶された署名と合致するかどうかについての判定が行われる。ＭＴ署名が記憶された署名と合致すると判定された場合には、１１０８において、タブレットデバイスは、１１１０においてカバーを認証し、合致しないと判定された場合には、１１１２において、タブレットデバイスは、カバーが認証されていないと判定する。
【００８３】
図１６は、説明された実施形態で使用するために好適な電子デバイス１６００のブロック図である。電子デバイス１６００は、代表的なコンピューティングデバイスの回路を例示する。電子デバイス１６００は、電子デバイス１６００の動作全般を制御するためのマイクロプロセッサ又はコントローラに関連する、プロセッサ１６０２を含む。電子デバイス１６００は、ファイルシステム１６０４及びキャッシュ１６０６内に、メディアアイテムに関連するメディアデータを記憶する。ファイルシステム１６０４は、典型的には、１つの記憶ディスク又は複数のディスクである。ファイルシステム１６０４は、典型的には、電子デバイス１６００に、大容量の記憶能力を提供する。しかしながら、ファイルシステム１６０４へのアクセス時間は比較的遅いため、電子デバイス１６００はキャッシュ１６０６を含んでもよい。キャッシュ１６０６は、例えば半導体メモリによって提供されるランダムアクセスメモリ（ＲＡＭ）である。キャッシュ１６０６への相対的なアクセス時間は、ファイルシステム１６０４に対してよりも実質的に短い。しかしながら、キャッシュ１６０６は、ファイルシステム１６０４の大記憶容量を有さない。更には、ファイルシステム１６０４は、アクティブである場合、キャッシュ１６０６よりも消費電力が大きい。消費電力は、電子デバイス１６００が、バッテリ１６２４によって電力供給されるポータブルメディアデバイスである場合、懸案事項となることが多い。電子デバイス１６００はまた、ＲＡＭ  １６２０及び読み取り専用メモリ（ＲＯＭ）１６２２も含み得る。ＲＯＭ  １６２２は、実行されるべきプログラム、ユーティリティ、又はプロセスを、不揮発方式で記憶することができる。ＲＡＭ  １６２０は、キャッシュ１６０６に関するものなどの揮発性データ記憶を提供する。
【００８４】
電子デバイス１６００はまた、電子デバイス１６００のユーザが、電子デバイス１６００と対話することを可能にする、ユーザ入力デバイス１６０８も含む。例えば、ユーザ入力デバイス１６０８は、ボタン、キーパッド、ダイヤル、タッチスクリーン、オーディオ入力インタフェース、ビジュアル／画像キャプチャ入力インタフェース、センサデータの形態をとる入力などのような、様々な形態を呈し得る。また更には、電子デバイス１６００は、プロセッサ１６０２によって制御されることにより、ユーザに対して情報を表示することができる、ディスプレイ１６１０（スクリーンディスプレイ）を含む。データバス１６１６は、少なくともファイルシステム１６０４、キャッシュ１６０６、プロッセサ１６０２、及びＣＯＤＥＣ  １６１３間のデータ転送を容易にすることができる。
【００８５】
一実施形態では、電子デバイス１６００は、ファイルシステム１６０４内に、複数のメディアアイテム（例えば、歌曲、ポッドキャストなど）を記憶する役割を果たす。ユーザが、この電子デバイスに、特定のメディアアイテムを再生させることを所望する場合、使用可能なメディアアイテムのリストが、ディスプレイ１６１０上に表示される。次いで、ユーザ入力デバイス１６０８を使用して、ユーザは、使用可能なメディアアイテムのうちの１つを選択することができる。プロッセサ１５０２は、特定のメディアアイテムの選択を受け取ると、その特定のメディアアイテムに関するメディアデータ（例えば、オーディオファイル）を、コーダ／デコーダ（ＣＯＤＥＣ）１６１３に供給する。次いで、ＣＯＤＥＣ  １５１３は、スピーカ１６１４のためのアナログ出力信号を生成する。スピーカ１６１４は、電子デバイス１６００の内部、又は電子デバイス１６００の外部のスピーカとすることができる。例えば、電子デバイス１６００に接続するヘッドホン又はイヤホンは、外部スピーカと見なされる。
【００８６】
電子デバイス１５００はまた、データリンク１６１２に結合するネットワーク／バスインタフェース１６１１も含む。データリンク１６１２により、電子デバイス１５００は、ホストコンピュータ又はアクセサリデバイスに結合することが可能となる。データリンク１５１２は、有線接続又は無線接続を介して提供することができる。無線接続の場合には、ネットワーク／バスインタフェース１６１１は、無線送受信機を含み得る。メディアアイテム（メディアアセット）は、１つ以上の異なるタイプのメディアコンテンツに関連し得る。一実施形態では、メディアアイテムは、オーディオトラック（例えば、歌曲、オーディオブック、及びポッドキャスト）である。別の実施形態では、メディアアイテムは、画像（例えば、写真）である。しかしながら、他の実施形態では、メディアアイテムは、オーディオコンテンツ、グラフィカルコンテンツ、又はビジュアルコンテンツのいずれかの組み合わせとすることができる。センサ１６２６は、任意数の刺激を検出するための、回路機構の形態を取り得る。例えば、センサ１５２６は、外部磁界に反応するホール効果センサ、オーディオセンサ、光度計などの光センサなどを含み得る。
【００８７】
説明される実施形態の様々な態様、実施形態、実装、又は特徴は、個別に若しくは任意の組み合わせで使用できる。説明される実施形態の様々な態様は、ソフトウェア、ハードウェア、又はハードウェアとソフトウェアとの組み合わせによって実装できる。更に、説明した実施形態は、非一時的コンピュータ可読媒体上のコンピュータ可読コードとして実施できる。コンピュータ可読媒体は、コンピュータシステムにより後で読み取られ得るデータを記憶することができる任意のデータ記憶デバイスとして定義される。コンピュータ可読媒体の例として、読み出し専用メモリ、ランダムアクセスメモリ、ＣＤ−ＲＯＭ、ＤＶＤ及び光学データ記憶デバイスを含む。コンピュータ可読媒体はまた、ネットワーク結合されたコンピュータシステム上に分散させることもでき、コンピュータ可読コードが分散方式で記憶及び実行される。
【００８８】
上述の説明は、説明の目的上、具体的な専門用語を使用することにより、説明される実施形態の完全な理解を提供するものであった。しかしながら、それらの具体的詳細は、説明される実施形態を実践するために必須のものではないことが、当業者には明らかとなるであろう。それゆえ、本明細書で説明される具体的な実施形態の上述の説明は、例示及び説明の目的のために提示されるものである。それらの説明は、網羅的であることも、又は開示される厳密な形態に実施形態を限定することも、目的とするものではない。上記の教示を考慮して、多くの修正形態及び変形形態が可能であることが、当業者には明らかとなるであろう。
【００８９】
説明される実施形態の有利点は数多い。種々の態様、実施形態、又は実装により、以下の有利点のうちの１つ以上をもたらすことができる。本実施形態の多くの特徴及び有利点は、記載される説明から明らかであり、それゆえ、添付の特許請求の範囲によって、本発明のそのような特徴及び有利点を包含することが意図される。更には、数多くの修正形態及び変形形態が、当業者には容易に想到されるため、これらの実施形態は、例示及び説明される厳密な構成並びに動作に限定されるべきではない。それゆえ、すべての好適な修正形態及び均等物は、本発明の範囲内に含まれるものとして採用することができる。
【図１】
0005890072.tif 000002
【図２Ａ】
0005890072.tif 000003
【図２Ｂ】
0005890072.tif 000004
【図３Ａ】
0005890072.tif 000005
【図３Ｂ】
0005890072.tif 000006
【図４】
0005890072.tif 000007
【図５】
0005890072.tif 000008
【図６Ａ】
0005890072.tif 000009
【図６Ｂ】
0005890072.tif 000010
【図６Ｃ】
0005890072.tif 000011
【図７Ａ】
0005890072.tif 000012
【図７Ｂ】
0005890072.tif 000013
【図８】
0005890072.tif 000014
【図９】
0005890072.tif 000015
【図１４】
0005890072.tif 000016
【図１０】
0005890072.tif 000017
【図１１】
0005890072.tif 000018
【図１２】
0005890072.tif 000019
【図１３】
0005890072.tif 000020
【図１５】
0005890072.tif 000021
【図１６】
0005890072.tif 000022